(57)【要約】【課題】増幅器の出力モードを切り替える場合における送信電力の精度を向上させることが可能な調整情報を作成することを可能とする。【解決手段】増幅器（３６）の２つの出力モードを切り替えて動作させたときに、切り替え前の出力モードの切り替え直前におけるＡＧＣアンプ（３２）の設定値に対応する送信電力と、切り替え後の出力モードの切り替え直後におけるＡＧＣアンプの設定値に対応する送信電力との差が所定範囲内となるように、１つの出力モードの調整情報に含まれる送信電力を補正するテーブル補正部（１５）を備える。【選択図】図１
2015139166.tif 000002
【特許請求の範囲】
【請求項１】
増幅器および該増幅器の送信電力を制御するＡＧＣ(Auto Gain Control)を備えるとともに、ＡＧＣの設定値と送信電力との対応関係を出力モード毎に規定した調整情報に従って、少なくとも２つの出力モードを切り替えて連続的に動作する通信装置が用いる上記調整情報を補正する調整情報補正装置であって、
２つの出力モードを切り替えて連続的に動作させたときに、切り替え前の出力モードの切り替え直前におけるＡＧＣの設定値に対応する送信電力と、切り替え後の出力モードの切り替え直後におけるＡＧＣの設定値に対応する送信電力との差が所定範囲内となるように、送信電力の補正値を決定するとともに、少なくとも１つの上記出力モードの上記補正前の調整情報に含まれる送信電力を上記補正値によって補正する補正手段を備える、
ことを特徴とする調整情報補正装置。
【請求項２】
上記補正手段は、
上記補正前の調整情報に従って、切り替え前の出力モードの切り替え直前におけるＡＧＣの設定値に対応する送信電力をＰ１ｂとし、切り替え後の出力モードの切り替え直後におけるＡＧＣの設定値に対応する送信電力をＰ１ａとするとともに、
上記補正前の調整情報に従って、出力モードを切り替えて、ＡＧＣの設定値を変更しながら連続的に上記増幅器に送信電力を出力させたときに得られる、上記Ｐ１ｂに対応する上記ＡＧＣの設定値に対応する送信電力をＰ２ｂとし、上記Ｐ１ａに対応する上記ＡＧＣの設定値に対応する送信電力をＰ２ａとした場合、
上記補正値であるΔＰを以下の式により算出する、
ΔＰ＝（Ｐ１ａ−Ｐ２ａ）―（Ｐ１ｂ−Ｐ２ｂ）
ことを特徴とする請求項１に記載の調整情報補正装置。
【請求項３】
上記通信装置と同じ特性を有する上記増幅器および上記ＡＧＣを備えるとともに、
出力モードを切り替えず、ＡＧＣの設定値を変更しながら連続的に上記増幅器に送信電力を出力させて測定した、ＡＧＣの設定値と送信電力との対応関係を出力モード毎に記録し、かつ、出力モードを切り替えて、ＡＧＣの設定値を変更しながら連続的に上記増幅器に送信電力を出力させて測定した、ＡＧＣの設定値と送信電力との対応関係を記録する測定手段を備える、
ことを特徴とする請求項２に記載の調整情報補正装置。
【請求項４】
増幅器および該増幅器の送信電力を制御するＡＧＣ(Auto Gain Control)を備えるとともに、ＡＧＣの設定値と送信電力との対応関係を出力モード毎に規定した調整情報に従って、少なくとも２つの出力モードを切り替えて連続的に動作する通信装置が用いる上記調整情報を補正する調整情報補正方法であって、
２つの出力モードを切り替えて連続的に動作させたときに、切り替え前の出力モードの切り替え直前におけるＡＧＣの設定値に対応する送信電力と、切り替え後の出力モードの切り替え直後におけるＡＧＣの設定値に対応する送信電力との差が所定範囲内となるように、送信電力の補正値を決定する補正値決定工程と、
上記補正値決定工程により決定された上記補正によって、少なくとも１つの上記出力モードの上記補正前の調整情報に含まれる送信電力を補正する補正工程と、を含む
ことを特徴とする調整情報補正方法。
【請求項５】
増幅器および該増幅器の送信電力を制御するＡＧＣ(Auto Gain Control)を備えるとともに、ＡＧＣの設定値と送信電力との対応関係を出力モード毎に規定した調整情報に従って、少なくとも２つの出力モードを切り替えて連続的に動作する通信装置であって、
２つの出力モードを切り替えて連続的に動作するときに、切り替え前の出力モードの切り替え直前におけるＡＧＣの設定値に対応する送信電力と、切り替え後の出力モードの切り替え直後におけるＡＧＣの設定値に対応する送信電力との差が所定範囲内となるように規定された上記調整情報を記憶した記憶部と、
上記記憶部に記憶した上記調整情報に従って、上記増幅器および上記ＡＧＣを制御する制御手段とを備えている
ことを特徴とする通信装置。
【発明の詳細な説明】
【技術分野】
【０００１】
本発明は、増幅器を制御するための調整情報を補正する調整情報補正装置等に関する。
【背景技術】
【０００２】
W-CDMA方式の携帯電話機では通信時、携帯電話機の送信電力は基地局からの命令で制御されている。送信電力の制御はスロット毎に行われており、スロット間のパワーの変化量として＋１ｄＢ/−１ｄＢ、＋２ｄＢ/−２ｄＢ、＋３ｄＢ/−３ｄＢが存在する。パワーのステップには規格が存在しており、＋１ｄＢ制御の場合は０．５ｄＢ〜１．５ｄＢに収めることが規定されている。
【０００３】
このような要求に対して、送信電力を制御するための種々の提案がなされている。例えば、特許文献１には、温度に応じた送信電力上限値を求め、次スロットの送信電力設定値がその上限値を超えるか否かを判定し、超えない場合はその送信電力設定値に応じた制御信号値を可変ゲインブロックに与え、超える場合はその送信電力上限値に応じた制御信号値を可変ゲインブロックに与える携帯無線機が提案されている。
【先行技術文献】
【特許文献】
【０００４】
【特許文献１】国際公開第２００３／０１５２９４号パンフレット（２００３年２月２０日公開）
【特許文献２】特開２００８−１０９３５１号公報（２００８年５月８日公開）
【発明の概要】
【発明が解決しようとする課題】
【０００５】
しかしながら、上述のような従来技術は、通信装置に含まれる増幅器に複数の出力モードがあった場合に、出力モードの切り替えを行った際の通信装置の個体ごとに異なる増幅器の特性によって送信電力の精度が低下するという問題がある。本発明は上記問題に鑑みてなされたものであって、その目的は、増幅器の出力モードを切り替える場合における送信電力の精度を向上させることにある。
【課題を解決するための手段】
【０００６】
上記の課題を解決するために、本発明の一態様に係る調整情報補正装置は、増幅器および該増幅器の送信電力を制御するＡＧＣ(Auto Gain Control)を備えるとともに、ＡＧＣの設定値と送信電力との対応関係を出力モード毎に規定した調整情報に従って、少なくとも２つの出力モードを切り替えて連続的に動作する通信装置が用いる上記調整情報を補正する調整情報補正装置であって、２つの出力モードを切り替えて連続的に動作させたときに、切り替え前の出力モードの切り替え直前におけるＡＧＣの設定値に対応する送信電力と、切り替え後の出力モードの切り替え直後におけるＡＧＣの設定値に対応する送信電力との差が所定範囲内となるように、送信電力の補正値を決定するとともに、少なくとも１つの出力モードの上記補正前の調整情報に含まれる送信電力を上記補正値によって補正する補正手段を備える。
【０００７】
また、本発明の他の態様に係る調整情報補正方法は、増幅器および該増幅器の送信電力を制御するＡＧＣ(Auto Gain Control)を備えるとともに、ＡＧＣの設定値と送信電力との対応関係を出力モード毎に規定した調整情報に従って、少なくとも２つの出力モードを切り替えて連続的に動作する通信装置が用いる上記調整情報を補正する調整情報補正方法であって、２つの出力モードを切り替えて連続的に動作させたときに、切り替え前の出力モードの切り替え直前におけるＡＧＣの設定値に対応する送信電力と、切り替え後の出力モードの切り替え直後におけるＡＧＣの設定値に対応する送信電力との差が所定範囲内となるように、送信電力の補正値を決定する補正値決定工程と、上記補正値決定工程により決定された上記補正によって、少なくとも１つの上記出力モードの上記補正前の調整情報に含まれる送信電力を補正する補正工程と、を含む。
【０００８】
また、本発明のさらに他の態様に係る通信装置は、増幅器および該増幅器の送信電力を制御するＡＧＣ(Auto Gain Control)を備えるとともに、ＡＧＣの設定値と送信電力との対応関係を出力モード毎に規定した調整情報に従って、少なくとも２つの出力モードを切り替えて連続的に動作する通信装置であって、２つの出力モードを切り替えて連続的に動作するときに、切り替え前の出力モードの切り替え直前におけるＡＧＣの設定値に対応する送信電力と、切り替え後の出力モードの切り替え直後におけるＡＧＣの設定値に対応する送信電力との差が所定範囲内となるように規定された上記調整情報を記憶した記憶部と、上記記憶部に記憶した上記調整情報に従って、上記増幅器および上記ＡＧＣを制御する制御手段とを備えている。
【発明の効果】
【０００９】
本発明の上記の各態様によれば、増幅器の出力モードを切り替える場合における送信電力の精度を向上させることができるという効果を奏する。
【図面の簡単な説明】
【００１０】
【図１】本発明の実施形態１に係る通信装置、制御ＰＣ、および測定器を表す機能ブロック図である。
【図２】本発明の実施形態１に係る調整テーブルを作成する処理を表すフローチャートである。
【図３】本発明の実施形態１に係る一定時間ごとにＡＧＣの設定値を下降させた場合における経過時間と送信電力の対応関係を表す図である。
【図４】本発明の各実施形態に係るＡＧＣと送信電力との対応関係を表す図である。
【図５】本発明の実施形態２に係る通信装置を表す機能ブロック図である。
【図６】補正されていない調整テーブルを用いて基地局の指示に基づいて送信電力を変化させた場合における送信電力の変化の一例を表す図である。
【図７】本発明の実施形態３に係る一定時間ごとにＡＧＣの設定値を上昇させた場合における経過時間と送信電力の対応関係を表す図である。
【発明を実施するための形態】
【００１１】
〔実施形態１〕
以下、本発明の実施の形態について、図１〜４に基づいて説明すれば、以下の通りである。
【００１２】
〔１．通信装置１の構成〕
まず図１に基づいて通信装置１、制御ＰＣ２（調整情報補正装置）および測定器３の構成について説明する。図１は、実施形態１に係る通信装置１、制御ＰＣ２および測定器３を示す機能ブロック図である。通信装置１は図１に示すように、制御部１０、記憶部２０、ベースバンド部３１、ＡＧＣ（Automatic Gain Control）アンプ３２（ＡＧＣ）、ミキサ３３、局部発振回路３４、ドライバーアンプ３５、増幅器３６、デュプレクサ３７、アンテナコネクタ３８、アンテナ３９を含む。
【００１３】
ベースバンド部３１は、ベースバンド出力制御部１１の制御に基づき、ベースバンド信号をＡＧＣアンプ３２へ出力する。
【００１４】
ＡＧＣアンプ３２は、ＡＧＣ設定部１２の制御に基づき、利得（以下、ＡＧＣの設定値と表す）を変化させることによって、ベースバンド部３１から出力されたベースバンド信号の強度を変化させる。これにより、最終的にはアンテナコネクタ３８において出力される電力（以下、送信電力と表す）が変化する。
【００１５】
ミキサ３３は、ＡＧＣアンプ３２から出力される信号と局部発振回路３４から出力される信号によって高周波信号に変換する。またミキサ３３は変換した高周波信号をドライバーアンプ３５に出力する。ミキサ３３から出力された高周波信号は、ドライバーアンプ３５、および増幅器３６によって増幅されたのちにデュプレクサ３７へ出力される。
【００１６】
また、増幅器３６は高い出力に適した高出力モードと、低い出力に適した低出力モードの２つの出力モードを備えている。より具体的には、高出力モードは、隣接チャネル漏えい電力を高い電力まで確保することが可能な出力モードであり、増幅器３６を流れる電流は多くなる。一方、低出力モードでは、増幅器３６の出力が低い場合に用いられるため、隣接チャネル漏えい電力を高い電力まで確保する必要はなく、増幅器３６を流れる電流を下げている。増幅器の備える出力モードは、ＰＡ動作モード設定部１３によっていずれかの出力モードに設定される。
【００１７】
デュプレクサ３７は、アンテナコネクタ３８を経由してアンテナ３９から入力された高周波信号を送信させる。デュプレクサ３７は送信経路と受信経路とを電気的に分離するためのものである。
【００１８】
制御部１０は、ベースバンド出力制御部１１、ＡＧＣ設定部１２、ＰＡ動作モード設定部１３を備えている。ベースバンド出力制御部１１は、ベースバンド部３１から出力させるベースバンド信号を制御する。ＡＧＣ設定部１２は、制御ＰＣ２の制御に基づきＡＧＣアンプ３２の利得を変化させる。また、ＰＡ動作モード設定部１３は、制御ＰＣ２の制御に基づき、増幅器３６の出力モードを設定する。また、制御部１０は、制御ＰＣ２の制御に基づき、記憶部２０の読み書きを行う。
【００１９】
記憶部２０は、切り替え点情報２１、高出力モードテーブル２２、低出力モードテーブル２３を含んでいる。切り替え点情報２１は、増幅器３６の出力モードを切り替えるために用いられる送信電力である切り替え点を表す情報である。切り替え点は、主に隣接チャネル漏えい電力・電流に基づいて決定される。
【００２０】
高出力モードテーブル２２および低出力モードテーブル２３（調整テーブル）は、それぞれ増幅器３６が各テーブルと対応する出力モードである場合におけるＡＧＣの設定値と送信電力との対応関係を記録するテーブルである。具体的には図４の（Ａ）に示すように、“ＡＧＣ”列に示すＡＧＣの設定値、“送信電力”列に示す送信電力が記録される。
【００２１】
制御ＰＣ２は、図１に示す通り、テーブル補正部４０、一時記憶部５０、補正情報作成部６０を含む。制御ＰＣ２は、通信装置１を制御可能なＰＣ（Personal Computer）などの装置により構成される。また、制御ＰＣ２は、通信装置１から出力される電力の情報を測定器３から、取得する。
【００２２】
測定器３は、アンテナコネクタ３８から出力される電力を測定し、その結果を補正情報作成部６０へ出力する。
【００２３】
一時記憶部５０は、切り替え点情報２１が示す切り替え点において増幅器の出力モードを切り替える場合におけるＡＧＣの設定値と送信電力の対応関係を記録するための記憶領域である。具体的には、図４の（Ｃ）に示すように、“ＡＧＣ”列に示すＡＧＣの設定値、“出力モード”列に示す設定されている増幅器３６の出力モード、“送信電力”列に示す送信電力が記録される。
【００２４】
補正情報作成部６０（測定手段）は、ＡＧＣ設定部１２、ＰＡ動作モード設定部１３を、増幅器３６の各モードにおいて送信電力が一定時間ごとに段階的に変化するように制御し、測定器３から出力される測定の結果を、一時記憶部５０へ記録し、また、制御部１０を介して、記憶部２０に格納された各テーブルへ記録する。
【００２５】
テーブル補正部４０（補正手段）は、補正情報作成部６０から一時記憶部５０および各テーブルへの記録が完了したことの通知を受けて、一時記憶部５０に含まれる情報および記憶部２０に格納された各テーブルに含まれる情報を参照し、制御部１０を介して、低出力モードテーブル２３に記録された情報を補正する。テーブル補正部４０および補正情報作成部６０の動作の詳細は後述する。なお、テーブル補正部４０および補正情報作成部６０が、制御部１０を介さずに、記憶部２０に格納された各テーブルを読み書きするように構成されていてもよい。
【００２６】
〔２．調整テーブルを作成する処理〕
図２〜４に基づいて、調整テーブルを作成する工程および、各テーブルに記録された情報について説明する。なお、調整テーブルとは、ＡＧＣの設定値と送信電力との対応関係を出力モード毎に規定した情報であり、特定の送信電力を得るために、ＡＧＣの設定値をどのように設定すればよいかを示す情報である。
【００２７】
まず、補正情報作成部６０は、ＡＧＣ設定部１２、およびＰＡ動作モード設定部１３を制御し、増幅器３６の高出力モードにおけるＡＧＣの設定値と測定器３が検知した送信電力との対応を測定し、高出力モードテーブル２２へ記録する（Ｓ１）。具体的には、一定の時間間隔ごとに送信電力が所定の方向へ変化するようにＡＧＣの設定値をＡＧＣ設定部１２に変更させる操作（以下、スイープと表す）を送信電力が切り替え点を超えるまで実行し、ＡＧＣの設定値と送信電力との対応を高出力モードテーブル２２へ記録する。例えば、１スロット（６６６．７μｓ）ごと、送信電力が１ｄＢずつ所定の方向へ変化するようにＡＧＣの設定値をＡＧＣ設定部１２に変更させてもよい。図４の（Ａ）は、Ｓ１に示す工程によって高出力モードテーブル２２へ記録されたＡＧＣの設定値と送信電力との対応の一例である。
【００２８】
続いて、Ｓ１に示す工程と同様の走査によって、補正情報作成部６０は、増幅器３６の低出力モードにおけるＡＧＣの設定値と送信電力との対応を測定し、低出力モードテーブル２３へ記録する（Ｓ２）。なお、Ｓ２における、ＡＧＣの設定値の初期値は、送信電力が切り替え点を超える値である。図４の（Ｂ）は、Ｓ２に示す工程によって低出力モードテーブル２３へ記録されたＡＧＣの設定値と送信電力との対応の一例である。
【００２９】
図３の（Ａ）は、Ｓ１およびＳ２に示す工程における経過時間（time）と送信電力との対応を示す図である。Ｓ１に示す工程は、同図の（１）高出力モードと対応し、Ｓ２に示す工程は、同図の（２）低出力モードと対応する。各図に示すように、本実施形態においては、送信電力が下降する方向へスイープしている。
【００３０】
続いて、補正情報作成部６０は、増幅器３６の出力モードを切り替え点において、ＰＡ動作モード設定部１３に切り替えさせて、増幅器３６が低出力モードの状態と高出力モードの状態とを連続的にスイープ（以下連続スイープと表す。）を実行し、ＡＧＣの設定値および出力モードと送信電力との対応を一時記憶部５０へ記録する（Ｓ３）。なお、Ｓ３に示す工程においては、モード個別テーブル記録工程において用いられたＡＧＣの設定値、すなわち高出力モードテーブル２２および低出力モードテーブル２３へ記録されたＡＧＣの設定値が用いられる。
【００３１】
図３の（Ｂ）に記された実線は、Ｓ３に示す工程における経過時間（time）と送信電力との対応を示している。また、図３の（Ｂ）に記された点線は、Ｓ３に示す工程において設定されたＡＧＣの設定値および増幅器３６の出力モードが、Ｓ１またはＳ２に示す工程において設定された場合の送信電力を示している。同図に示すように、Ｓ１またはＳ２に示す工程とＳ３に示す工程とでは、増幅器３６の出力モードおよびＡＧＣの設定値が同じであっても、送信電力の値は異なる。これは、増幅器３６の温度の変化や、増幅器３６の出力モードの切り替えなどに起因する差異である。そのため、増幅器３６の出力モードを切り替える前の高出力モードと比較して、増幅器３６の出力モードを切り替えた後の低出力モードでは点線と実線の差異は大きくなっている。
【００３２】
図４の（Ｃ）は、Ｓ３に示す工程によって一時記憶部５０へ記録されたＡＧＣの設定値および増幅器３６の出力モードと送信電力との対応の一例を示している。具体的には、Ｓ３に示す工程において、ＡＧＣの設定値がＡＧＣ１２であり、増幅器３６が低出力モードであった場合、送信電力がＰ１２Ｌであることなどが記録されている。
【００３３】
続いて、補正情報作成部６０はテーブル補正部４０へ、一時記憶部５０への記録が完了したことを通知する。当該通知を受けたテーブル補正部４０は、低出力モードテーブルを補正する補正値ΔＰを算出する（Ｓ４）。図４の（Ａ）に示す高出力モードでの測定結果において切り替え点を超えるもっとも小さい送信電力であるＰＨ２１（ＡＧＣ２１と対応する送信電力）をＰ１（Ｐ１ｂ）とし、図４の（Ｂ）に示す低出力モードでの測定結果において切り替え点を超えないもっとも大きい送信電力であるＰＬ２１（ＡＧＣ１２と対応する送信電力）をＰ２（Ｐ１ａ）とする。また、図４の（Ｃ）に示す連続スイープの測定結果において、Ｐ１に対応するＡＧＣ設定値での送信電力であるＰ２１Ｈ（ＡＧＣ２１と対応する送信電力）をＰ３＿Ｈ（Ｐ２ｂ）、Ｐ２に対応するＡＧＣ設定値での送信電力であるＰ１２Ｌ（ＡＧＣ１２と対応する送信電力）をＰ３＿Ｌ（Ｐ２ａ）とする。この場合、補正値ΔＰは以下の式（１）によって算出される。
【００３４】
ΔＰ＝（Ｐ３_Ｈ−Ｐ３_Ｌ）−（Ｐ１−Ｐ２）・・・・（１）
Ｓ４に示す工程（補正値決定工程）において補正値ΔＰを算出したテーブル補正部４０は、低出力モードテーブル２３に含まれる送信電力から補正値ΔＰを減算することによって、低出力モードテーブル２３を補正する（Ｓ５）。図４の（Ｄ）は、Ｓ５に示す工程（情報作成工程）において補正された低出力モードテーブル２３の一例を示す図である。この場合、作成された調整テーブルは高出力モードテーブル２２および低出力モードテーブル２３に記録された情報である。
【００３５】
上記の構成によれば、増幅器３６の出力モードを切り替え点において切り替えた場合において、切り替え前の出力モードの切り替え直前におけるＡＧＣの設定値に対応する送信電力と、切り替え後の出力モードの切り替え直後におけるＡＧＣの設定値に対応する送信電力との差が所定範囲内となる調整テーブルが作成される。よって、増幅器の出力モードを切り替える場合における送信電力の精度を向上させることが可能な調整テーブルを作成することができる。
【００３６】
また、図３の（Ｂ）に示すように連続スイープ時の切替点におけるステップ（Ｐ３＿Ｈ−Ｐ３＿Ｌ）は、（１）高出力モード、（２）低出力モードの個別のスイープ時の切替点におけるステップ（Ｐ１−Ｐ２）と異なっている。一般に、実際に通信装置１が利用される際は、（３）連続スイープに近い特性になる。そのため、上記の処理により補正値ΔＰを低出力モードテーブル２３に含まれる送信電力から補正値ΔＰを減算することによって、実際に通信装置１が利用される際の切替点におけるステップを所定の範囲内とすることができる。
【００３７】
〔変形例〕
上述の実施形態において、テーブル補正部４０は、図２のＳ５に示す工程における低出力モードテーブル２３に含まれる送信電力から補正値ΔＰを減算する処理に替えて、高出力モードテーブル２２に含まれる送信電力へ補正値ΔＰを加算する処理を実行してもよい。また、上述の実施形態において、補正値ΔＰをＡＧＣの設定値について算出し、高出力モードテーブル２２または低出力モードテーブル２３に含まれるＡＧＣの設定値を補正してもよい。
【００３８】
〔実施形態２〕
本実施形態に係る通信装置１ａは、実施形態１に係る通信装置１によって作成された調整テーブルに基づいて、基地局（図示せず）の指示に従い、ＡＧＣの設定値を制御する。すなわち、通信装置１ａは、上述の調整テーブルに基づいて送信電力を制御する。これにより、増幅器の出力モードを切り替える場合であっても、送信電力の精度に関する規格を満たすことができる。
【００３９】
通信装置１ａの具体的な構成について、図５および６に基づいて説明すれば、以下のとおりである。なお、説明の便宜上、前記実施形態にて説明した部材と同じ機能を有する部材については、同じ符号を付記し、その説明を省略する。
【００４０】
図５は実施形態２に係る通信装置１ａの構成を表す機能ブロック図である。通信装置１ａと実施形態１に係る通信装置１との主な差異は、制御部１０に替えて制御部１０ａを備え、また、受信部８０を備える点である。また、本実施形態において、高出力モードテーブル２２および低出力モードテーブル２３には、図２に示すＳ１〜Ｓ５に示す方法によって作成された調整テーブルが記録されている。なお、当該調整テーブルを作成した時点における通信装置１に含まれるベースバンド部３１、ＡＧＣアンプ３２、ドライバーアンプ３５、増幅器３６、デュプレクサ３７、およびアンテナコネクタ３８（特に、ＡＧＣアンプ３２および増幅器３６）により構成される電子回路と、通信装置１ａに含まれる上記電子回路とは同一の特性をもつ。
【００４１】
受信部８０は、基地局から受信した情報を制御部１０ａへ出力する。基地局から受信する情報には、送信電力の設定の指示が含まれる。送信電力の設定の指示とは、例えば、通信装置１ａの送信電力を１０ｄＢに設定する指示である。
【００４２】
制御部１０ａ（制御手段）は、ＡＧＣ設定部１２ａおよびＰＡ動作モード設定部１３ａを含む。ＡＧＣ設定部１２ａは、受信部８０から出力された送信電力の設定の指示に基づき、切り替え点情報２１、および調整テーブルである高出力モードテーブル２２および低出力モードテーブル２３を参照してＡＧＣの設定値を決定する。また、ＰＡ動作モード設定部１３ａは、受信部８０から出力された送信電力の設定の指示に基づき、切り替え点情報２１を参照し、増幅器３６の出力モードを切り替える。
【００４３】
送信電力の設定の指示が送信電力をＰＨ１０とすることであった場合の例について説明する。ＡＧＣ設定部１２ａは、まず切り替え点情報２１を参照することで、ＰＨ１０が切り替え点を超えていることを確認する。続いて、ＡＧＣ設定部１２ａは、高出力モードテーブル２２を参照し、送信電力をＰＨ１０とするためのＡＧＣの設定値を決定する。これにより、決定されたＡＧＣの設定値であるＡＧＣ１０を、ＡＧＣ設定部１２ａはＡＧＣアンプ３２へ設定する。また、ＰＡ動作モード設定部１３ａは、切り替え点情報２１を参照することで、ＰＨ１０が切り替え点を超えていることを確認し、増幅器３６を高出力モードに設定する。これにより、増幅器３６は高出力モードに設定され、またＡＧＣの設定値はＡＧＣ１０となる。
【００４４】
図６は、補正されていない調整テーブル（図２のＳ１およびＳ２に示す工程によって記録された各モード別テーブル）を用いて基地局から送信電力を１ｄＢずつ変化させるような送信電力の設定の指示を受信した場合における送信電力の変化の一例を表す図である。この場合、増幅器３６を高出力モードから低出力モードへの切り替えが発生した場合の送信電力の変化であるＤｉｆｆは、１ｄＢ±０．５ｄＢという規格を満たしていない場合がある。一方で、本実施形態に係る通信装置１ａは図２のＳ５において補正された調整テーブルを用いるため、増幅器の出力モードを切り替える場合であっても、送信電力の精度に関する規格を満たすことができる。すなわち、端末の個体ごとに異なる送信電力特性を補正することができるため、送信電力制御の特性が改善する。
【００４５】
なお、ＡＧＣ設定部１２ａが用いる調整テーブルは、高出力モードテーブル２２および低出力モードテーブル２３に入力された情報に限られない。例えば、各テーブルに入力された値を線形補間することで得られた情報を用いて、０．５ｄＢごとの送信電力と対応するＡＧＣの設定値を求めてもよい。
【００４６】
〔実施形態３〕
本実施形態と実施形態１との差異は図２のＳ２、Ｓ３においてスイープが実行される方向を選択する工程を図２のＳ１に示す工程の前に、補正情報作成部６０が実行することである。具体的には、スイープが実行される方向として下降する方向が選択された場合は、実施形態１と同じ処理が実行される。また、スイープが実行される方向として上昇する方向が選択された場合は、図２のＳ２およびＳ３に示す工程それぞれにおいて、図７に示すように出力される電力が上昇する方向にスイープが実行される。
【００４７】
〔変形例〕
実施形態３において、Ｓ２、Ｓ３においてスイープが実行される方向を上昇する方向および下降する方向それぞれに設定した場合の調整テーブルを記録し、それぞれの調整テーブルにおいて対応する値を平均した結果を調整テーブルとしてもよい。
【００４８】
また、上記各実施形態において、増幅器３６は高出力モードおよび低出力モード以外の中出力モードなどの出力モードを備えていてもよい。この場合、各出力モードについてＡＧＣと送信電力との対応を示すモード個別テーブルが作成され、少なくとも一つのモード個別テーブルが補正されることで調整テーブルが作成される。
【００４９】
〔ソフトウェアによる実現例〕
通信装置１、１ａの制御ブロック（特に制御部１０、１０ａ）は、集積回路（ＩＣチップ）等に形成された論理回路（ハードウェア）によって実現してもよいし、ＣＰＵ（Central Processing Unit）を用いてソフトウェアによって実現してもよい。
【００５０】
後者の場合、通信装置１、１ａは、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００５１】
〔まとめ〕
本発明の態様１に係る調整情報補正装置（制御ＰＣ２）は、増幅器（３６）および該増幅器の送信電力を制御するＡＧＣ(Auto Gain Control)（３２）を備えるとともに、ＡＧＣの設定値と送信電力との対応関係を出力モード毎に規定した調整情報（高出力モードテーブル２２、低出力モードテーブル２３）に従って、少なくとも２つの出力モードを切り替えて連続的に動作する通信装置（１）が用いる上記調整情報を補正する調整情報補正装置であって、２つの出力モードを切り替えて連続的に動作させたときに、切り替え前の出力モードの切り替え直前におけるＡＧＣの設定値に対応する送信電力と、切り替え後の出力モードの切り替え直後におけるＡＧＣの設定値に対応する送信電力との差が所定範囲内となるように、送信電力の補正値を決定するとともに、少なくとも１つの出力モードの上記補正前の調整情報に含まれる送信電力を上記補正値によって補正する補正手段（テーブル補正部４０）を備える。
【００５２】
上記の構成によれば、増幅器の出力モードを切り替え点において切り替えた場合において、切り替え前の出力モードの切り替え直前におけるＡＧＣの設定値に対応する送信電力と、切り替え後の出力モードの切り替え直後におけるＡＧＣの設定値に対応する送信電力との差が所定範囲内となる調整情報が作成される。よって、増幅器の出力モードを切り替える場合における送信電力の精度を向上させることが可能な調整情報を作成することができる。
【００５３】
本発明の態様２に係る調整情報補正装置は、上記態様１において、上記補正手段は、上記補正前の調整情報に従って、切り替え前の出力モードの切り替え直前におけるＡＧＣの設定値に対応する送信電力をＰ１ｂとし、切り替え後の出力モードの切り替え直後におけるＡＧＣの設定値に対応する送信電力をＰ１ａとするとともに、上記補正前の調整情報に従って、出力モードを切り替えて、ＡＧＣの設定値を変更しながら連続的に上記増幅器に送信電力を出力させたときに得られる、上記Ｐ１ｂに対応する上記ＡＧＣの設定値に対応する送信電力をＰ２ｂとし、上記Ｐ１ａに対応する上記ＡＧＣの設定値に対応する送信電力をＰ２ａとした場合、上記補正値であるΔＰを以下の式により算出してもよい。
【００５４】
ΔＰ＝（Ｐ１ｂ−Ｐ１ａ）―（Ｐ２ｂ−Ｐ２ａ）
上記補正前の調整情報に従って、出力モードを切り替えて、ＡＧＣの設定値を変更しながら連続的に上記増幅器に送信電力を出力させた場合の切替点におけるステップ（Ｐ２ｂ−Ｐ２ａ）は、出力モードごとに測定されたＡＧＣと送信電力の設定結果から得られる切り替え前の出力モードにおける送信電力と、切り替え後の出力モードにおける送信電力とから得られるステップ（Ｐ１ｂ−Ｐ１ａ）とは異なっている。
【００５５】
一般に、実際に通信装置が利用される際の送信電力の特性は、出力モードを切り替えて、ＡＧＣの設定値を変更しながら連続的に上記増幅器に送信電力を出力させた場合と近い特性になる。そのため、上記の処理により補正値ΔＰを少なくとも１つの出力モードの上記補正前の調整情報に含まれる送信電力に対して補正値ΔＰによって補正することによって、実際に通信装置１が利用される際の切替点におけるステップを所定の範囲内とすることができる。
【００５６】
上記の構成によれば、上記補正前の調整情報に従った場合における上記切り替え点と隣接する上記出力される電力、および出力モードを切り替えた場合における上記出力される電力、から算出された補正値によって上記調整情報が補正される。これにより、切り替え前の出力モードの切り替え直前におけるＡＧＣの設定値に対応する送信電力と、切り替え後の出力モードの切り替え直後におけるＡＧＣの設定値に対応する送信電力との差が所定範囲内となる調整情報が作成される。すなわち、増幅器の出力モードを切り替える場合においても、精度規格を満たすことができる調整情報を得ることができる。
【００５７】
本発明の態様３に係る調整情報補正装置は、上記通信装置と同じ特性を有する上記増幅器および上記ＡＧＣを備えるとともに、出力モードを切り替えず、ＡＧＣの設定値を変更しながら連続的に上記増幅器に送信電力を出力させて測定した、ＡＧＣの設定値と送信電力との対応関係を出力モード毎に記録し、かつ、出力モードを切り替えて、ＡＧＣの設定値を変更しながら連続的に上記増幅器に送信電力を出力させて測定した、ＡＧＣの設定値と送信電力との対応関係を記録する測定手段（補正情報作成部６０）を備えていてもよい。
【００５８】
上記の構成によれば、出力モードを切り替えなかった場合の各出力モードにＡＧＣの設定値と送信電力との対応関係、および出力モードを切り替える場合におけるＡＧＣの設定値と送信電力との対応関係が記録される。
【００５９】
本発明の態様４に係る調整情報補正方法は、増幅器および該増幅器の送信電力を制御するＡＧＣ(Auto Gain Control)を備えるとともに、ＡＧＣの設定値と送信電力との対応関係を出力モード毎に規定した調整情報に従って、少なくとも２つの出力モードを切り替えて連続的に動作する通信装置が用いる上記調整情報を補正する調整情報補正方法であって、２つの出力モードを切り替えて連続的に動作させたときに、切り替え前の出力モードの切り替え直前におけるＡＧＣの設定値に対応する送信電力と、切り替え後の出力モードの切り替え直後におけるＡＧＣの設定値に対応する送信電力との差が所定範囲内となるように、送信電力の補正値を決定する補正値決定工程（Ｓ４）と、上記補正値決定工程により決定された上記補正によって、少なくとも１つの上記出力モードの上記補正前の調整情報に含まれる送信電力を補正する補正工程（Ｓ５）と、を含む。
【００６０】
上記の構成によれば上記態様１と同様の作用・効果が得られる。
【００６１】
本発明の態様５に係る通信装置（１ａ）は、増幅器および該増幅器の送信電力を制御するＡＧＣ(Auto Gain Control)を備えるとともに、ＡＧＣの設定値と送信電力との対応関係を出力モード毎に規定した調整情報に従って、少なくとも２つの出力モードを切り替えて連続的に動作する通信装置であって、２つの出力モードを切り替えて連続的に動作するときに、切り替え前の出力モードの切り替え直前におけるＡＧＣの設定値に対応する送信電力と、切り替え後の出力モードの切り替え直後におけるＡＧＣの設定値に対応する送信電力との差が所定範囲内となるように規定された上記調整情報を記憶した記憶部（２０）と、上記記憶部に記憶した上記調整情報に従って、上記増幅器および上記ＡＧＣを制御する制御手段（制御部１０ａ）とを備えている。
【００６２】
上記の構成によれば、増幅器の出力モードを切り替える場合であっても、切り替え前の出力モードの切り替え直前におけるＡＧＣの設定値に対応する送信電力と、切り替え後の出力モードの切り替え直後におけるＡＧＣの設定値に対応する送信電力との差が所定範囲内となる。すなわち、端末の個体ごとに異なる増幅器の出力モードを切り替え時における送信電力特性を補正することができるため、増幅器の出力モードを切り替える場合における送信電力の精度を向上させることができる。
【００６３】
本発明の態様６に係る通信装置の制御方法は、増幅器および該増幅器の送信電力を制御するＡＧＣ(Auto Gain Control)を備えるとともに、ＡＧＣの設定値と送信電力との対応関係を出力モード毎に規定した調整情報に従って、少なくとも２つの出力モードを切り替えて連続的に動作する通信装置の制御方法であって、上記通信装置は、２つの出力モードを切り替えて連続的に動作するときに、切り替え前の出力モードの切り替え直前におけるＡＧＣの設定値に対応する送信電力と、切り替え後の出力モードの切り替え直後におけるＡＧＣの設定値に対応する送信電力との差が所定範囲内となるように規定された上記調整情報を記憶した記憶部をさらに備え、上記記憶部に記憶した上記調整情報に従って、上記増幅器および上記ＡＧＣを制御する。
【００６４】
上記の構成によれば、上記態様５と同様の作用・効果が得られる。
【００６５】
本発明の各態様に係る調整情報補正装置、および通信装置は、コンピュータによって実現してもよく、この場合には、コンピュータを上記調整情報補正装置および上記通信装置が備える各手段として動作させることにより上記情報処理装置および上記通信装置をコンピュータにて実現させる上記調整情報補正装置および上記通信装置の制御プログラム、およびそれを記録したコンピュータ読み取り可能な記録媒体も、本発明の範疇に入る。
【００６６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００６７】
本発明は、通信装置の調整情報を補正する調整情報補正装置、補正方法および通信装置に利用することができる。
【符号の説明】
【００６８】
１  通信装置
２  制御ＰＣ（調整情報補正装置）
２０  記憶部
２２  高出力モードテーブル（調整情報）
２３  低出力モードテーブル（調整情報）
４０  テーブル補正部（補正手段）
６０  補正情報作成部（測定手段）
３２  ＡＧＣアンプ（ＡＧＣ）
３６  増幅器
１ａ  通信装置
１０ａ  制御部（制御手段）
【図１】
2015139166.tif 000003
【図２】
2015139166.tif 000004
【図３】
2015139166.tif 000005
【図４】
2015139166.tif 000006
【図５】
2015139166.tif 000007
【図６】
2015139166.tif 000008
【図７】
2015139166.tif 000009